(57)【要約】      （修正有）【課題】移動経路基盤の広告を提供する方法及びそのための端末及び広告提供装置を提供する。【解決手段】端末の移動経路基盤の広告を提供するための装置であって、前記端末の経路要請信号に基づいて生成された移動経路情報を獲得する経路情報獲得部と、既に生成された広告候補情報を有効基準情報と比較して広告登録リストを生成する広告登録処理部と、前記広告登録リストに含まれているそれぞれの登録広告情報のうち、前記移動経路情報に対応するマッチング広告情報を抽出し、前記マッチング広告情報を含む結合経路情報を生成して提供する経路処理部とを含む。【選択図】図１
2014186717.tif 000002
【特許請求の範囲】
【請求項１】
端末の移動経路基盤の広告を提供するための装置であって、
前記端末の経路要請信号に基づいて生成された移動経路情報を獲得する経路情報獲得部と、
既に生成された広告候補情報を有効基準情報と比較して広告登録リストを生成する広告登録処理部と、
前記広告登録リストに含まれているそれぞれの登録広告情報のうち、前記移動経路情報に対応するマッチング広告情報を抽出し、前記マッチング広告情報を含む結合経路情報を生成して提供する経路処理部と
を含むことを特徴とする移動経路基盤の広告提供装置。
【請求項２】
前記経路処理部は、
それぞれの前記登録広告情報を既に格納された地図上の道路識別情報と結合して登録広告位置情報を生成するコードマッチング部と、
前記登録広告位置情報のうち、前記移動経路情報に対応する前記マッチング広告情報を抽出し、前記移動経路情報に前記マッチング広告情報を追加して結合経路情報を生成する結合経路生成部と
を含むことを特徴とする請求項１に記載の移動経路基盤の広告提供装置。
【請求項３】
前記コードマッチング部は、
前記既に格納された地図上の前記登録広告情報に対応する道路に対する前記道路識別情報を用いて前記登録広告位置情報を生成することを特徴とする請求項２に記載の移動経路基盤の広告提供装置。
【請求項４】
前記コードマッチング部は、
前記既に格納された地図上の前記登録広告情報に対応する領域に含まれている複数の道路に対する複数の前記道路識別情報を用いて前記登録広告位置情報を生成することを特徴とする請求項２に記載の移動経路基盤の広告提供装置。
【請求項５】
前記登録広告位置情報に含まれている広告ＩＤ、広告コンテンツに関する情報及び位置座標値のうちの少なくとも１つ以上を基準に格納する格納部と、
前記端末から前記結合経路情報に対応する広告要請信号が受信される場合、前記広告要請信号に基づいて前記広告コンテンツに関する情報を前記格納部から抽出する抽出部と
を更に含むことを特徴とする請求項２に記載の移動経路基盤の広告提供装置。
【請求項６】
前記有効基準情報は、有効期間、表出時間及び広告位置のうちの少なくとも１つ以上を含み、
前記広告登録処理部は、前記端末から受信した広告登録要請信号に基づいて前記広告候補情報を生成し、前記広告候補情報を前記有効基準情報と比較して有効な広告情報であると判断されれば、前記広告登録リストを生成することを特徴とする請求項１に記載の移動経路基盤の広告提供装置。
【請求項７】
経路提供装置及び広告提供装置と連動して広告の提供を受ける端末であって、
前記広告提供装置から結合経路情報を受信する通信部と、
一定周期毎に現在位置を確認して現在位置情報を生成する位置検出部と、
前記結合経路情報のうち、前記現在位置情報に対応する広告ＩＤを用いて広告要請信号を生成して前記広告提供装置に伝送し、前記広告提供装置から前記広告要請信号に対応する広告コンテンツに関する情報を受信し、現在の走行状態を判断して前記広告コンテンツに関する情報を出力する広告制御部と
を含むことを特徴とする端末。
【請求項８】
前記広告制御部は、
前記現在の走行状態を判断及び前記現在位置情報に基づいて前記広告コンテンツに関する情報のうち、抽出された表出広告情報が出力されるようにする表出広告決定部を含むことを特徴とする請求項７に記載の端末。
【請求項９】
前記広告制御部は、
前記経路提供装置から受信した現在交通情報及び前記現在位置情報に基づいて停滞区間であると判断される場合、前記表出広告情報を出力することを特徴とする請求項８に記載の端末。
【請求項１０】
前記広告制御部は、
前記経路提供装置から受信した現在交通情報及び前記現在位置情報に基づいて左折区間で待機中であると判断される場合、前記表出広告情報を出力することを特徴とする請求項８に記載の端末。
【請求項１１】
前記広告制御部は、
前記経路提供装置から受信した現在交通情報及び前記現在位置情報に基づいて直進区間であると判断される場合、前記表出広告情報を出力することを特徴とする請求項８に記載の端末。
【請求項１２】
前記表出広告情報は、
テキスト広告情報、映像広告情報及び音声広告情報のうちの少なくとも１つ以上の広告情報を含み、前記結合経路情報に含まれている移動経路情報と重複しない位置に出力されることを特徴とする請求項８に記載の端末。
【請求項１３】
受信した経路要請信号に基づいて移動経路情報を生成する経路提供装置と、
前記移動経路情報を獲得し、既に生成された広告登録リストに含まれているそれぞれの登録広告情報のうち、前記移動経路情報に対応するマッチング広告情報を抽出し、前記移動経路情報及び前記マッチング広告情報を含む結合経路情報を生成する広告提供装置と、
前記結合経路情報のうち、前記現在位置情報に対応する広告ＩＤを用いて広告要請信号を生成して前記広告提供装置に伝送し、前記広告提供装置から前記広告要請信号に対応する広告コンテンツに関する情報を受信し、現在の走行状態を判断して前記広告コンテンツに関する情報のうち、抽出された表出広告情報を出力する端末と
を含むことを特徴とする移動経路基盤の広告提供システム。
【請求項１４】
端末の移動経路基盤の広告を提供する方法であって、
前記端末の経路要請信号に基づいて生成された移動経路情報を獲得する経路情報獲得過程と、
既に生成された広告候補情報を有効基準情報と比較して広告登録リストを生成する広告登録過程と、
前記広告登録リストに含まれているそれぞれの登録広告情報のうち、前記移動経路情報に対応するマッチング広告情報を抽出し、前記マッチング広告情報を含む結合経路情報を生成して提供する経路処理過程と
を含むことを特徴とする移動経路基盤の広告提供方法。
【請求項１５】
前記経路処理過程は、
それぞれの前記登録広告情報を既に格納された地図上の道路識別情報と結合して登録広告位置情報を生成するコードマッチング過程と、
前記登録広告位置情報のうち、前記移動経路情報に対応する前記マッチング広告情報を抽出し、前記移動経路情報に前記マッチング広告情報を追加して結合経路情報を生成する結合経路生成過程と
を含むことを特徴とする請求項１４に記載の移動経路基盤の広告提供方法。
【請求項１６】
前記登録広告位置情報に含まれている広告ＩＤ、広告コンテンツに関する情報及び位置座標値のうちの少なくとも１つ以上を基準に格納する情報格納過程と、
前記端末から前記結合経路情報に対応する広告要請信号が受信される場合、前記広告要請信号に基づいて前記広告コンテンツに関する情報を前記格納部から抽出する情報抽出過程と
を更に含むことを特徴とする請求項１５に記載の移動経路基盤の広告提供方法。
【請求項１７】
端末が経路提供装置及び広告提供装置と連動して広告の提供を受ける方法であって、
前記広告提供装置から結合経路情報を受信する経路情報受信過程と、
一定周期毎に現在位置を確認して現在位置情報を生成する位置検出過程と、
前記結合経路情報のうち、前記現在位置情報に対応する広告ＩＤを用いて広告要請信号を生成して前記広告提供装置に伝送し、前記広告提供装置から前記広告要請信号に対応する広告コンテンツに関する情報を受信し、現在の走行状態を判断して前記広告コンテンツに関する情報を出力する広告制御過程と
を含むことを特徴とする移動経路基盤の広告出力方法。
【請求項１８】
前記広告制御過程は、
前記現在の走行状態を判断及び前記現在位置情報に基づいて前記広告コンテンツに関する情報のうち、抽出された表出広告情報が出力されるようにする表出広告決定過程を含むことを特徴とする請求項１７に記載の移動経路基盤の広告出力方法。
【請求項１９】
データ処理機器に、
経路要請信号に基づいて生成された移動経路情報を獲得する過程と、
既に生成された広告候補情報を有効基準情報と比較して広告登録リストを生成する過程と、
前記広告登録リストに含まれているそれぞれの登録広告情報のうち、前記移動経路情報に対応するマッチング広告情報を抽出し、前記マッチング広告情報を含む結合経路情報を生成する過程と、
現在の走行状態に基づいて前記結合経路情報による表出広告情報を出力する過程と
を実現させるためのプログラムを記録したコンピュータ読み取り可能な記録媒体。
【発明の詳細な説明】
【技術分野】
【０００１】
本発明は、移動経路基盤の広告を提供する方法及びそのための端末及び広告提供装置に関する。更に詳しくは、ユーザの入力により生成された移動経路情報を受信し、移動経路情報に対応する広告情報を端末に提供し、端末の位置及び走行状態によって広告情報を出力しようとする移動経路基盤の広告を提供する方法及びそのための端末及び広告提供装置に関する。
【背景技術】
【０００２】
この部分に記述された内容は、単に本実施形態に対する背景情報を提供するだけであって、従来技術を構成するものではない。
【０００３】
端末のアプリケーションを通じてナビゲーションを用いるとき、端末は地図情報に含まれている位置／地名、道路、建物などの位置情報を提供しているが、地図情報に含まれる位置情報は多様な地域情報を含んでおり、地図の容量が過度に大きくなったり、地図に関する情報を検索する際に時間が多少遅延するおそれがある。
【０００４】
また、特定位置で営業活動を行っている事業者が広告をするための場合、アプリケーションの地図情報に広告情報を含めた後にのみ情報伝達が可能であり、有効しない広告の更新が難しいため、誤った広告情報をユーザに提供するおそれもある。
【発明の概要】
【発明が解決しようとする課題】
【０００５】
そこで、本発明は上記事情に鑑みてなされたものであって、その目的は、ユーザの入力により生成された移動経路情報を受信し、移動経路情報に対応する広告情報を端末に提供し、端末の位置及び走行状態によって広告情報を出力しようとする移動経路基盤の広告を提供する方法及びそのための端末及び広告提供装置を提供することにある。
【課題を解決するための手段】
【０００６】
本実施形態の一側面によれば、端末の移動経路基盤の広告を提供するための装置であって、前記端末の経路要請信号に基づいて生成された移動経路情報を獲得する経路情報獲得部と、既に生成された広告候補情報を有効基準情報と比較して広告登録リストを生成する広告登録処理部と、前記広告登録リストに含まれているそれぞれの登録広告情報のうち、前記移動経路情報に対応するマッチング広告情報を抽出し、前記マッチング広告情報を含む結合経路情報を生成して提供する経路処理部とを含むことを特徴とする移動経路基盤の広告提供装置を提供する。
【０００７】
また、本実施形態の他の側面によれば、経路提供装置及び広告提供装置と連動して広告の提供を受ける端末であって、前記広告提供装置から結合経路情報を受信する通信部と、一定周期毎に現在位置を確認して現在位置情報を生成する位置検出部と、前記結合経路情報のうち、前記現在位置情報に対応する広告ＩＤを用いて広告要請信号を生成して前記広告提供装置に伝送し、前記広告提供装置から前記広告要請信号に対応する広告コンテンツに関する情報を受信し、現在の走行状態を判断して前記広告コンテンツに関する情報を出力する広告制御部とを含むことを特徴とする端末を提供する。
【０００８】
更に、本実施形態の他の側面によれば、受信した経路要請信号に基づいて移動経路情報を生成する経路提供装置と、前記移動経路情報を獲得し、既に生成された広告登録リストに含まれているそれぞれの登録広告情報のうち、前記移動経路情報に対応するマッチング広告情報を抽出し、前記移動経路情報及び前記マッチング広告情報を含む結合経路情報を生成する広告提供装置と、前記結合経路情報のうち、前記現在位置情報に対応する広告ＩＤを用いて広告要請信号を生成して前記広告提供装置に伝送し、前記広告提供装置から前記広告要請信号に対応する広告コンテンツに関する情報を受信し、現在の走行状態を判断して前記広告コンテンツに関する情報のうち、抽出された表出広告情報を出力する端末とを含むことを特徴とする移動経路基盤の広告提供システムを提供する。
【０００９】
また、本実施形態の別の側面によれば、端末の移動経路基盤の広告を提供する方法であって、前記端末の経路要請信号に基づいて生成された移動経路情報を獲得する経路情報獲得過程と、既に生成された広告候補情報を有効基準情報と比較して広告登録リストを生成する広告登録過程と、前記広告登録リストに含まれているそれぞれの登録広告情報のうち、前記移動経路情報に対応するマッチング広告情報を抽出し、前記マッチング広告情報を含む結合経路情報を生成して提供する経路処理過程とを含むことを特徴とする移動経路基盤の広告提供方法を提供する。
【００１０】
更に、本実施形態の他の側面によれば、端末が経路提供装置及び広告提供装置と連動して広告の提供を受ける方法であって、前記広告提供装置から結合経路情報を受信する経路情報受信過程と、一定周期毎に現在位置を確認して現在位置情報を生成する位置検出過程と、前記結合経路情報のうち、前記現在位置情報に対応する広告ＩＤを用いて広告要請信号を生成して前記広告提供装置に伝送し、前記広告提供装置から前記広告要請信号に対応する広告コンテンツに関する情報を受信し、現在の走行状態を判断して前記広告コンテンツに関する情報を出力する広告制御過程とを含むことを特徴とする移動経路基盤の広告出力方法を提供する。
【００１１】
また、本実施形態の別の側面によれば、データ処理機器に、経路要請信号に基づいて生成された移動経路情報を獲得する過程と、既に生成された広告候補情報を有効基準情報と比較して広告登録リストを生成する過程と、前記広告登録リストに含まれているそれぞれの登録広告情報のうち、前記移動経路情報に対応するマッチング広告情報を抽出し、前記マッチング広告情報を含む結合経路情報を生成する過程と、現在の走行状態に基づいて前記結合経路情報による表出広告情報を出力する過程とを実現させるためのプログラムを記録したコンピュータ読み取り可能な記録媒体を提供する。
【発明の効果】
【００１２】
以上で説明したように、本実施形態によれば、ユーザの入力又は連動するアプリケーションを通じて獲得した広告のうち、有効な広告のみを登録し、ユーザの移動経路と結合して広告情報を提供することで、ユーザは有効でなかったり、位置が移動した業者に対する広告を受信するのを防止できるという効果が得られる。
【００１３】
また、広告提供装置は、広告コードとリソースデータとを分離して管理することで、ユーザが端末を通じてアプリケーションを駆動するとき、処理する地図のデータ量を低減でき、これにより発生し得る過負荷又はバグを防止できるという効果が得られる。
【図面の簡単な説明】
【００１４】
【図１】本実施形態に係る移動経路基盤の広告を提供するためのシステムを概略的に示すブロック構成図である。
【図２】本実施形態に係る広告提供装置を概略的に示すブロック構成図である。
【図３】本実施形態に係る端末を概略的に示すブロック構成図である。
【図４】本実施形態に係る移動経路基盤の広告を提供する方法を説明するための順序図である。
【図５】本実施形態に係る時間による有効基準情報を用いて広告登録リストを生成する動作を説明するための例示図である。
【図６】本実施形態に係る位置による有効基準情報を用いて広告登録リストを生成する動作を説明するための例示図である。
【図７】本実施形態に係る結合経路情報を生成する動作を説明するための例示図である。
【図８】本実施形態に係るコードマッチング部の動作を説明するための例示図である。
【図９Ａ】本実施形態に係る端末が表出広告を制御する動作を説明するための例示図である。
【図９Ｂ】本実施形態に係る端末が表出広告を制御する動作を説明するための例示図である。
【図１０】本実施形態に係る端末が広告を出力するディスプレイを説明するための例示図である。
【図１１】本実施形態に係る地点を基準に広告を提供するサービスを示すための例示図である。
【図１２】本実施形態に係る地域を基準に広告を提供するサービスを示すための例示図である。
【図１３】本実施形態に係る走行中にマルチメディア広告を提供するサービスを示すための例示図である。
【図１４】本実施形態に係る走行中にプッシュ（Push）広告を提供するサービスを示すための例示図である。
【発明を実施するための形態】
【００１５】
以下、本実施形態を添付の図面を参照して詳細に説明する。
【００１６】
図１は、本実施形態に係る移動経路基盤の広告を提供するためのシステムを概略的に示すブロック構成図である。
【００１７】
本実施形態に係る広告提供システム１００は、端末１１０、経路提供装置１２０、広告提供装置１３０及びネットワーク１４０を含む。本実施形態では、広告提供システム１００が端末１１０、経路提供装置１２０、広告提供装置１３０及びネットワーク１４０のみを含むものとして記載しているが、これは本実施形態の技術思想を例示的に説明したことに過ぎないものであって、本実施形態の属する技術分野における通常の知識を有する者であれば、本実施形態の本質的な特性から逸脱しない範囲で広告提供システム１００に含まれる構成要素に対して多様に修正及び変形して適用可能である。
【００１８】
端末１１０とは、ユーザのキー操作又は命令に従ってネックワーク１４０を経由して各種のデータ（例えば、要請信号、移動経路情報及び広告コンテンツに関する情報など）を送受信できる端末のことをいい、タブレットＰＣ（Tablet PC）、ラップトップ（Laptop）、個人用コンピュータ（ＰＣ：Personal Computer）、スマートフォン（Smart Phone）、個人用携帯情報端末（ＰＤＡ：Personal Digital Assistant）及び移動通信端末（Mobile Communication Terminal）などの何れか１つであり得る。また、端末１１０は、ネットワーク１４０を介してデータを読み書き及び格納、ネットワーク、コンテンツの使用などのサービスを利用できるクラウドコンピューティング（Cloud Computing）を支援するクラウドコンピューティング端末になり得る。
【００１９】
端末１１０は、ネットワーク１４０を経由して経路提供装置１２０及び広告提供装置１３０と通信するためのプログラム又はプロトコルを格納するためのメモリ、該当プログラムを実行して演算及び制御するためのマイクロプロセッサなどを備えることが好ましく、経路提供装置１２０及び広告提供装置１３０とサーバ−クライアント通信が可能であれば、いかなる端末でも利用可能であり、ノートブックコンピュータ、移動通信端末、ＰＤＡなどいかなる通信コンピュータ装置を何れも含む広い概念である。一方、本実施形態では、端末１１０は経路提供装置１２０及び広告提供装置１３０と別途の装置で実現されるものとして記載しているが、実際の実施形態の実現において、端末１１０は、経路提供装置１２０及び広告提供装置１３０を何れも含む形態の自立型（Stand Alone）装置で実現できる。
【００２０】
一方、端末１１０は、ＧＰＳ（Global Positioning System）モジュールを備えた端末であることが好ましいが、必ずしもこれに限定されるものではない。端末１１０は、備えられたＧＰＳモジュールを用いて１つ以上のＧＰＳ人工衛星から受信したＧＰＳ電波信号から航法データ（Navigation Data）を抽出してネットワーク１４０を経由して別途の測位装置に伝送できる。また、端末１１０は、無線ＬＡＮモジュールを備えた端末であって、搭載された無線ＬＡＮモジュールを用いて周辺に認識（スキャン）されるＡＰ（Access Point）を通じてインターネット網に接続して各種のデータを送受信できる端末である。
【００２１】
即ち、このような端末１１０は無線通信モジュール、ＧＰＳモジュール及び無線ＬＡＮモジュールのうちの１つ以上のモジュールが搭載されることが好ましいが、必ずしもこれに限定されるものではない。即ち、端末１１０は、アウトドア（Outdoor）環境ではＧＰＳモジュールを用いて現在位置情報を算出し、インドア（Indoor）環境では無線通信モジュールを用いた基地局基盤の測位を通じて現在位置情報を算出したり、無線ＬＡＮモジュールを用いた無線ＬＡＮ基盤の測位を通じて現在位置情報を算出できる。
【００２２】
本実施形態に係る端末１１０は、道案内アプリケーション１１２を搭載して移動経路基盤の広告サービスを利用できる。即ち、端末１１０は、ユーザの操作又は命令に従って道案内アプリケーション１１２を駆動し、道案内アプリケーション１１２を通じて移動経路基盤の広告サービスを利用できる。このような道案内アプリケーション１１２のインストール方法についてより具体的に説明すれば、道案内アプリケーション１１２は、端末１１０がスマートフォンである場合、アプリケーションストアを通じてダウンロードした後、インストールでき、端末１１０がフィーチャーフォン（Feature Phone）である場合、通信会社サーバを介してダウンロードしたＶＭ（Virtual Machine）上で駆動され得る。
【００２３】
以下、端末１１０が搭載された道案内アプリケーション１１２を用いて移動経路基盤の広告サービスを行う過程について説明する。端末１１０は、ユーザの操作又は命令に従って搭載された道案内アプリケーション１１２を駆動する。その後、端末１１０は、ユーザから入力された出発位置情報、到着位置情報、経由位置情報などを含む経路要請信号を経路提供装置１２０に伝送する。ここで、経路提供装置１２０は、経路要請信号に基づいて移動経路情報を生成し、これを広告提供装置１３０に提供する。移動経路情報を受信した広告提供装置１３０は、移動経路情報に該当する広告の広告ＩＤを含む結合経路情報を端末１１０に提供する。
【００２４】
端末１１０は現在位置を確認して現在位置情報を生成し、現在位置情報に対応する広告要請信号を生成し、広告提供装置１３０から広告要請信号に対応する広告コンテンツに関する情報を受信する。また、端末１１０は、現在位置情報及び経路提供装置１２０から受信した現在交通情報を用いて走行状態を判断した後、結合経路情報のうち、表出広告情報に該当する広告コンテンツに関する情報を出力する。
【００２５】
経路提供装置１２０は、ネットワーク１４０を介して端末１１０から経路要請信号による移動経路情報を生成する動作を行う。
【００２６】
本実施形態に係る経路提供装置１２０は、複数の交通情報センター（図示せず）から交通情報を受信して格納し、所定の周期でアップデートを行う。経路提供装置１２０は、受信した経路要請信号に含まれている出発位置情報、到着位置情報、経由位置情報などを用いて生成した複数の経路のうち、最適の移動経路に関する移動経路情報を生成できる。一方、経路提供装置１２０は、端末１１０の現在の走行速度によって移動経路情報を更新できる。
【００２７】
広告提供装置１３０は、経路提供装置１２０から経路要請信号に基づいて生成された移動経路情報を受信し、端末１１０から獲得した広告候補情報を有効基準情報と比較して広告登録リストを生成する。ここで、広告候補情報は、ユーザが端末１１０を用いて入力された商号名、位置情報などに基づいて生成された情報であることが好ましいが、必ずしもこれに限定されるものではなく、ＡＰＩ（Application Programming Interface）などの方式を用いて連結された広告アプリケーション（図示せず）から獲得した情報であり得る。ここで、有効基準情報は、有効期間、表出時間及び広告位置などを含む情報であって、広告登録処理部２２０は、広告候補情報を有効基準情報と比較して時間及び位置が有効な登録広告情報を含む広告登録リストを生成する。
【００２８】
また、広告提供装置１３０は、広告登録リストに含まれているそれぞれの登録広告情報を既に格納された地図上の道路識別情報と結合して登録広告位置情報を生成し、登録広告位置情報のうち、経路提供装置１２０から獲得した移動経路情報にマッチングされる広告ＩＤ、広告コンテンツに関する情報及び広告位置情報などを含むマッチング広告情報を抽出し、移動経路情報及び抽出されたマッチング広告情報の全体又は一部を含む結合経路情報を生成して端末１１０に伝送する。ここで、結合経路情報は、移動経路情報及びマッチング広告情報のうち、広告ＩＤのみを含むことが好ましいが、必ずしもこれに限定されるものではない。
【００２９】
一方、広告提供装置１３０は、端末１１０から結合経路情報に含まれている広告ＩＤによる広告要請信号が受信される場合、広告要請信号に該当する広告コンテンツに関する情報を外部又は内部に備えられたデータベース（図示せず）から抽出して端末１１０に提供して表出広告が出力されるようにする。
【００３０】
ネットワーク１４０とは、インターネット網、イントラネット網、移動通信網、衛星通信網など多様な有無線通信技術を用いてインターネットプロトコルでデータを送受信できる網のことをいう。このようなネットワーク１４０は、ＬＡＮ（Local Area Network）、ＷＡＮ（Wide Area Network）などの閉鎖型ネットワーク、インターネット（Internet）のような開放型ネットワークのみならず、ＣＤＭＡ（Code Division Multiple Access）、ＷＣＤＭＡ（登録商標）（Wideband Code Division Multiple Access）、ＧＳＭ（登録商標）（Global System for Mobile Communications）、ＬＴＥ（Long Term Evolution）、ＥＰＣ（Evolved Packet Core）などのネットワークと今後実現される次世代ネットワーク及びクラウドコンピューティングネットワークを通称する概念である。
【００３１】
図２は、本実施形態に係る広告提供装置を概略的に示すブロック構成図である。
【００３２】
本実施形態に係る広告提供装置１３０は、送受信部２１０、広告登録処理部２２０、コードマッチング部２３０、結合経路生成部２４０、抽出部２５０及び格納部２６０を含む。本実施形態では、広告提供装置１３０が送受信部２１０、広告登録処理部２２０、コードマッチング部２３０、結合経路生成部２４０、抽出部２５０及び格納部２６０のみを含むものとして記載しているが、これは本実施形態の技術思想を例示的に説明したことに過ぎないものであって、本実施形態の属する技術分野における通常の知識を有する者であれば、本実施形態の本質的な特性から逸脱しない範囲で広告提供装置１３０に含まれる構成要素に対して多様に修正及び変形して適用可能である。
【００３３】
送受信部２１０は、端末１１０及び経路提供装置１２０と連結されてデータを送受信する動作を行う。
【００３４】
本実施形態に係る送受信部２１０は、経路提供装置１２０から経路要請信号に基づいて生成された移動経路情報を獲得する。ここで、移動経路情報は、出発位置情報、到着位置情報、経由位置情報などを含む経路要請信号に基づいて生成された情報であって、リアルタイム交通情報、ユーザ収集交通情報などを用いて生成されることもできる。
【００３５】
広告登録処理部２２０は、送受信部２１０を通じて獲得した広告候補情報を有効基準情報と比較して広告登録リストを生成する動作を行う。ここで、広告候補情報は、ユーザが端末１１０を用いて入力された商号名、位置情報などに基づいて生成された情報であることが好ましいが、必ずしもこれに限定されるものではなく、ＡＰＩなどの方式を用いて連結された広告アプリケーション（図示せず）から獲得した情報であり得る。ここで、有効基準情報は、有効期間、表出時間及び広告位置などを含む情報であって、広告登録処理部２２０は、広告候補情報を有効基準情報と比較して時間及び位置が有効な登録広告情報を含む広告登録リストを生成する。例えば、広告登録処理部２２０は、休日及び公休日データを有効基準情報として用いる場合、休日及び公休日に営業しない業者に対する広告候補情報を除去し、休日及び公休日に営業を行う業者に対する広告候補情報のみを登録広告情報として確認し、これを含む広告登録リストを生成できる。
【００３６】
また、広告登録処理部２２０は、既に設定された地域の行政コード及び領域に関する情報を有効基準情報として用いる場合、地域の行政コード及び領域に該当しなかったり、位置を把握できない業者に対する広告候補情報を除去し、地域の行政コード及び領域に該当する業者に対する広告候補情報のみを登録広告情報として確認し、このような登録広告情報を含む広告登録リストを生成できる。
【００３７】
コードマッチング部２３０は、広告登録処理部２２０から生成された広告登録リストに含まれているそれぞれの登録広告情報を既に格納された地図上の道路識別情報と結合して登録広告位置情報を生成する動作を行う。ここで、コードマッチング部２３０は、既に格納された地図上の所定の道路（例えば、登録広告情報に該当する業者の前方に位置する道路）に関する道路識別情報を用いて登録広告位置情報を生成できる。また、コードマッチング部２３０は、既に格納された地図上の所定の領域（例えば、登録広告情報に該当する業者の半径１００ｍ以内に位置する道路）に含まれている複数の道路識別情報を用いて登録広告位置情報を生成できる。
【００３８】
結合経路生成部２４０は、登録広告位置情報のうち、経路提供装置１２０から獲得した移動経路情報にマッチングされるマッチング広告情報を抽出し、移動経路情報及び抽出されたマッチング広告情報の全体又は一部を含む結合経路情報を生成する。一方、結合経路生成部２４０で生成された結合経路情報は、格納部２６０に格納され、格納部２６０で結合経路情報は広告ＩＤ、広告コンテンツに関する情報などに分類して格納されることが好ましい。
【００３９】
結合経路生成部２４０は、移動経路情報及びマッチング広告情報のうち、広告ＩＤのみを含む結合経路情報を生成し、生成された結合経路情報を端末１１０に伝送できる。このとき、端末１１０は現在位置を確認し、受信した結合経路情報のうち、現在位置に該当する広告ＩＤを抽出し、抽出された広告ＩＤに基づいて広告要請信号を生成する。
【００４０】
一方、結合経路生成部２４０は、移動経路情報と広告ＩＤ及び広告コンテンツに関する情報を何れも含むマッチング広告情報を含む場合、端末１１０は広告要請信号を生成せず、自ら現在位置に該当する広告コンテンツに関する情報を抽出して表出することもできる。
【００４１】
抽出部２５０は、端末１１０から結合経路情報に対応する広告要請信号が受信される場合、広告要請信号による広告コンテンツに関する情報を格納部２６０から抽出し、抽出された広告コンテンツに関する情報を端末１１０に提供する。
【００４２】
格納部２６０は、広告提供装置１３０で広告を提供するためのあらゆるデータを格納する。本実施形態に係る格納部２６０は、結合経路生成部２４０で生成された結合経路情報に含まれている移動経路情報、広告ＩＤ及び広告コンテンツに関する情報などをそれぞれのカテゴリー別に分類して格納する。ここで、格納部２６０は、データベースであることが好ましいが、必ずしもこれに限定されるものではない。
【００４３】
一方、図２で格納部２６０は、広告提供装置１３０内に備えられたものとして記載しているが、必ずしもこれに限定されるものではなく、ＤＢ装置、外部格納サーバなどのようなデータを格納できる別途の格納装置の形態で実現されてもよい。
【００４４】
図３は、本実施形態に係る端末を概略的に示すブロック構成図である。
【００４５】
本実施形態に係る端末１１０は、通信部３１０、位置検出部３２０、広告制御部３３０、出力部３４０及び入力部３５０を含む。本実施形態では、端末１１０が通信部３１０、位置検出部３２０、広告制御部３３０、出力部３４０及び入力部３５０のみを含むものとして記載しているが、これは本実施形態の技術思想を例示的に説明したことに過ぎないものであって、本実施形態の属する技術分野における通常の知識を有する者であれば、本実施形態の本質的な特性から逸脱しない範囲で端末１１０に含まれる構成要素に対して多様に修正及び変形して適用可能である。
【００４６】
通信部３１０は、経路提供装置１２０及び広告提供装置１３０と連動して各種の情報及びデータを送受信する動作を行う。
【００４７】
本実施形態に係る通信部３１０は、ユーザから入力された出発位置情報、到着位置情報、経由位置情報などを含む経路要請信号を経路提供装置１２０に伝送して移動経路情報が生成されるようにする。
【００４８】
また、通信部３１０は、広告提供装置１３０から結合経路情報を受信し、受信した結合経路情報に基づいて表出広告情報が出力されるようにする。一方、通信部３１０は、表出広告情報が出力されるようにする過程で結合経路情報に対応する広告要請信号を広告提供装置１３０に伝送することもできる。
【００４９】
位置検出部３２０は、端末１１０の現在位置を確認して現在位置情報を生成する動作を行う。本実施形態に係る位置検出部３２０は、ＧＰＳ又は無線通信信号を用いて現在位置を確認し、確認された現在位置に対する座標値を用いて現在位置情報を生成する。
【００５０】
広告制御部３３０は、現在の走行状態を判断して広告提供装置１３０から受信した結合経路情報のうち、表出広告情報を決定し、表出広告情報が出力されるようにする。本実施形態に係る広告制御部３３０は、走行状態判断部３３２及び表出広告決定部３３４を含む。広告制御部３３０の動作をそれぞれの構成要素に区分して詳細に説明すれば、以下の通りである。
【００５１】
走行状態判断部３３２は、経路提供装置１２０から受信した現在交通情報及び位置検出部３２０で検出された現在位置情報を用いて走行状態を判断する動作を行う。更に詳細に説明すれば、走行状態判断部３３２は、車両内に位置する端末１１０が直進、左折、停止、信号待ちなどのうちの少なくとも１つ以上の走行状態を判断する。
【００５２】
表出広告決定部３３４は、現在位置情報に対応する広告要請信号を生成し、広告提供装置１３０から広告要請信号に対応する広告コンテンツに関する情報を受信すれば、広告コンテンツに関する情報のうち、出力する表出広告情報を決定する動作を行う。
【００５３】
本実施形態に係る表出広告決定部３３４は、広告提供装置１３０から受信した結合経路情報のうち、現在位置情報に対応する広告ＩＤを用いて広告要請信号を生成し、広告提供装置１３０から広告要請信号に対応する広告コンテンツに関する情報を受信すれば、結合経路情報に含まれている移動経路情報と重複しない位置にテキスト、映像及び音声などのようなマルチメディア広告の形態で出力されるように表出広告情報を決定する。
【００５４】
出力部３４０は、表出広告情報を端末に備えられたディスプレイに出力されるようにし、入力部３５０は、経路提供装置１２０で移動経路情報が生成されるように要請する経路要請信号、広告提供装置１３０で広告候補情報が生成されるように要請する広告登録要請信号などをタッチスクリーン、キーパッド及び音声などの方法を用いてユーザから入力を受けることができる。
【００５５】
図４は、本実施形態に係る移動経路基盤の広告を提供する方法を説明するための順序図である。
【００５６】
端末１１０は、ユーザの操作により入力された経路要請信号を経路提供装置１２０に伝送する（Ｓ４１０）。
【００５７】
経路提供装置１２０は、受信した経路要請信号に基づいて移動経路情報を生成し、生成された移動経路情報を広告提供装置１３０に伝送する（Ｓ４１２）。
【００５８】
広告提供装置１３０は、移動経路情報を受信し（Ｓ４１４）、広告候補情報を獲得したか否かを判断する（Ｓ４２０）。ここで、広告候補情報は、ユーザが端末１１０を用いて入力された商号名、位置情報などに基づいて生成された情報であることが好ましいが、必ずしもこれに限定されるものではなく、ＡＰＩなどのような方式を用いて連結された広告アプリケーション（図示せず）から獲得した情報であり得る。
【００５９】
段階Ｓ４２０で広告提供装置１３０が広告候補情報を獲得した場合、広告候補情報と有効基準情報とを比較して登録広告情報を生成し（Ｓ４３０）、有効な登録広告情報を含む広告登録リストを生成する（Ｓ４４０）。
【００６０】
広告提供装置１３０は、広告登録リストに含まれている登録広告情報のうち、移動経路情報に対応するマッチング広告情報を抽出する（Ｓ４５０）。ここで、広告提供装置１３０は、生成された広告登録リストに含まれているそれぞれの登録広告情報を既に格納されて地図上の道路識別情報と結合して登録広告位置情報を生成する過程を更に含むことができ、このような場合、広告提供装置１３０は登録広告位置情報のうち、経路提供装置１２０から獲得した移動経路情報にマッチングされるマッチング広告情報を抽出できる。
【００６１】
広告提供装置１３０は、移動経路情報と広告ＩＤ、広告コンテンツに関する情報などを含むマッチング広告情報の全体又は一部を含む結合経路情報を生成して端末１１０に伝送する（Ｓ４６０）。
【００６２】
端末１１０は、現在位置を確認して現在位置情報を生成し（Ｓ４７０）、広告提供装置１３０から受信した結合経路情報のうち、現在位置情報に対応する広告ＩＤを抽出し（Ｓ４７２）、生成された広告要請信号を広告提供装置１３０に伝送する（Ｓ４７４）。
【００６３】
広告提供装置１３０は、受信した広告要請信号に該当する広告コンテンツに関する情報を抽出して端末１１０に提供する（Ｓ４８０）。
【００６４】
端末１１０は、段階Ｓ４７０で生成された現在位置情報と経路提供装置１２０から受信した現在交通情報を用いて走行状態を判断し、判断された走行状態に基づいて広告コンテンツに関する情報のうち、表出広告情報を抽出して出力されるようにする。ここで、端末１１０は、移動経路情報と重複しない位置にテキスト、映像及び音声などのようなマルチメディア形態の表出広告情報が出力されるようにする（Ｓ４８２）。ここで、端末１１０は、表出広告情報を抽出せず、広告コンテンツに関する情報が直ちに出力されるようにすることもできる。
【００６５】
端末１１０は、表出広告情報を端末に備えられたディスプレイに出力する（Ｓ４９０）。
【００６６】
図４では、段階Ｓ４１０〜段階Ｓ４９０を順次実行するものとして記載しているが、これは、本発明の一実施形態の技術思想を例示的に説明したことに過ぎないものであって、本発明の一実施形態が属する技術分野における通常の知識を有する者であれば、本発明の一実施形態の本質的な特性から逸脱しない範囲で図４に記載された順序を変更して実行したり、段階Ｓ４１０〜段階Ｓ４９０のうちの１つ以上の段階を並列的に実行することに多様に修正及び変形して適用可能であるので、図４は、時系列的な順序に限定されるものではない。
【００６７】
図５は、本実施形態に係る時間による有効基準情報を用いて広告登録リストを生成する動作を説明するための例示図である。
【００６８】
図５に示すように、送受信部２１０は「インターフェースモジュール」を含んで実現できる。このような送受信部２１０は、端末１１０及び経路提供装置１２０と連動して各種のデータを送受信し、送受信に必要なプロトコルを処理できる。
【００６９】
広告登録処理部２２０は、図５に示すように、「広告登録モジュール」、「広告制御モジュール」を含んで実現できる。ここで、広告登録処理部２２０は、送受信部２１０を通じて獲得した広告候補情報を有効基準情報と比較して広告登録リスト（例えば、図５の広告リスト）を生成する。ここで、有効基準情報は、有効期間、表出時間及び広告位置などを含む情報であって、広告登録処理部２２０は、広告候補情報を有効基準情報と比較して時間及び位置が有効な登録広告情報を含む広告登録リストを生成する。例えば、広告登録処理部２２０は、休日及び公休日データを有効基準情報として用いる場合、休日及び公休日に営業しない業者に対する広告候補情報を除去し、休日及び公休日に営業する業者に対する広告候補情報のみを登録広告情報として確認し、これを含む広告登録リストを生成できる。
【００７０】
格納部２６０は、図５に示すように、「ＤＢサーバ」を含んで実現できる。格納部２６０は、広告登録処理部２２０で生成された広告登録情報及び広告登録リストを格納でき、広告提供装置１３０で広告を提供するのに必要なあらゆる情報、例えば、移動経路情報、広告ＩＤ及び広告コンテンツに関する情報などをそれぞれのカテゴリー別に分類して格納できる。ここで、格納部２６０は、データベースであることが好ましいが、必ずしもこれに限定されるものではない。
【００７１】
図６は、本実施形態に係る位置による有効基準情報を用いて広告登録リストを生成する動作を説明するための例示図である。
【００７２】
図６に示すように、送受信部２１０は「インターフェースモジュール」を含んで実現できる。このような送受信部２１０は、端末１１０及び経路提供装置１２０と連動して各種のデータを送受信し、送受信に必要なプロトコルを処理できる。
【００７３】
広告登録処理部２２０は、図５に示すように、「広告登録モジュール」、「広告制御モジュール」を含んで実現できる。ここで、広告登録処理部２２０は、送受信部２１０を通じて獲得した広告候補情報を有効基準情報と比較して広告登録リスト（例えば、図６の広告リスト）を生成する。ここで、有効基準情報は、有効期間、表出時間及び広告位置などを含む情報であって、広告登録処理部２２０は、広告候補情報を有効基準情報と比較して時間及び位置が有効な登録広告情報を含む広告登録リストを生成する。例えば、広告登録処理部２２０は、既に設定された地域の行政コード及び領域に関する情報を有効基準情報として用いる場合、地域の行政コード及び領域に該当しなかったり、位置を把握できない業者に対する広告候補情報を除去し、地域の行政コード及び領域（例えば、図６の行政区域コードデータ、行政区域ポリゴンデータなど）に該当する業者に対する広告候補情報のみを登録広告情報として確認し、このような登録広告情報を含む広告登録リストを生成できる。
【００７４】
格納部２６０は、図５に示すように、「ＤＢサーバ」を含んで実現できる。格納部２６０は、広告登録処理部２２０で生成された広告登録情報及び広告登録リストを格納でき、広告提供装置１３０で広告を提供するのに必要なあらゆる情報、例えば、移動経路情報、広告ＩＤ及び広告コンテンツに関する情報などをそれぞれのカテゴリー別に分類して格納できる。ここで、格納部２６０はデータベースであることが好ましいが、必ずしもこれに限定されるものではない。
【００７５】
図７は、本実施形態に係る結合経路情報を生成する動作を説明するための例示図である。
【００７６】
図７に示すように、送受信部２１０は、「インターフェースモジュール」を含んで実現できる。このような送受信部２１０は、端末１１０及び経路提供装置１２０と連動して各種のデータを送受信し、送受信に必要なプロトコルを処理できる。
【００７７】
コードマッチング部２３０は「源泉−広告マッチングデータ」、「源泉−サービスリンクマッチングデータ」、「サービスネットワークデータ」を含んで実現でき、コードマッチング部２３０は、既に生成された広告登録リストに含まれているそれぞれの登録広告情報を既に格納された地図上の道路識別情報と結合して登録広告位置情報を生成できる。
【００７８】
結合経路生成部２４０は、図７に示すように、「データローダ」、「経路変換モジュール」及び「広告結合モジュール」を含んで実現できる。ここで、結合経路生成部２４０は、登録広告位置情報のうち、経路提供装置１２０から獲得した移動経路情報にマッチングされるマッチング広告情報を抽出し、移動経路情報及び抽出されたマッチング広告情報の全体又は一部を含む結合経路情報を生成する。
【００７９】
格納部２６０は、図６に示すように、「ＤＢサーバ」を含んで実現できる。格納部２６０は、広告提供装置１３０で広告を提供するのに必要な全ての情報、例えば、移動経路情報、広告ＩＤ及び広告コンテンツに関する情報などをそれぞれのカテゴリー別に分類して格納できる。ここで、格納部２６０は、データベースであることが好ましいが、必ずしもこれに限定されるものではない。
【００８０】
図８は、本実施形態に係るコードマッチング部の動作を説明するための例示図である。
【００８１】
コードマッチング部２３０は、広告登録処理部２２０から生成された広告登録リストに含まれているそれぞれの登録広告情報を既に格納された地図上の道路識別情報と結合して登録広告位置情報を生成する動作を行う。
【００８２】
図８に示すように、コードマッチング部２３０は、既に格納された所定の道路（例えば、登録広告情報に該当する業者の前方に位置する道路）に関する道路識別情報を用いて第１登録広告位置情報８１０を生成できる。例えば、コードマッチング部２３０は、第１広告に対する業者の前方に位置する道路の道路識別情報が「１−１」である場合、第１広告と「１−１」を結合して「広告１−（１−１）」のような第１登録広告位置情報８１０を生成できる。
【００８３】
また、コードマッチング部２３０は、既に格納された地図上の所定の領域（例えば、登録広告情報に該当する業者の半径１００ｍ以内に位置する道路）に含まれている複数の道路識別情報を用いて第２登録広告位置情報８２０を生成することもできる。例えば、コードマッチング部２３０は、第１広告に対する業者の半径１００ｍ以内に位置する道路の道路識別情報が「１−１」、「１−２」、「２−１」及び「２−２」である場合、第１広告と「１−１」を結合して「広告１−（１−１）−（１−２）−（２−１）−（２−２）」のような第２登録広告位置情報８２０を生成できる。
【００８４】
図９は、本実施形態に係る端末が表出広告を制御する動作を説明するための例示図である。
【００８５】
図９に示すように、（ａ）は広告制御部３３０で走行状態を判断する過程を説明するための例示図であり、（ｂ）は走行状態の判断による音声表出広告が出力可能な位置を示す例示図である。
【００８６】
図９の（ａ）で広告制御部３３０は、現在位置情報に基づいて停止していることが確認されれば、経路提供装置１２０から受信した現在交通情報に基づいて走行状態を判断し（Ｓ９２０）、停滞区間であると判断される場合、表出広告情報を出力できる（Ｓ９３０）。一方、段階Ｓ９２０で走行状態が円滑であると判断される場合、左折区間であるかを確認し（Ｓ９４０）、左折区間で待機中であると判断される場合、表出広告情報を出力できる（Ｓ９４２）。一方、段階Ｓ９４０で左折区間でないことが確認される場合、位置情報エラー又は停止であることが認知されるが、表出広告情報は出力しない（Ｓ９４４）。
【００８７】
図９の（ｂ）に示すように、広告制御部３３０は、直進区間では表出広告情報を出力し、回転案内区間及び危険案内区間などが出力される場合、表出広告情報を出力しない。一方、図９の（ｂ）は音声に対する表出広告情報であると示しているが、必ずしもこれに限定されるものではなく、テキスト、映像などの表出広告情報にも適用され得る。
【００８８】
図１０は、本実施形態に係る端末が広告を出力するディスプレイを説明するための例示図である。
【００８９】
図１０の（ａ）は、端末１１０でテキストに対する表出広告情報を出力したディスプレイを示すものであり、（ｂ）は端末１１０で映像に対する表出広告情報を出力したディスプレイを示すものであり、（ｃ）は端末１１０で音声に対する表出広告情報を出力するディスプレイを示すものである。ここで、表出広告情報は、移動経路情報と重複しない位置に出力されることが好ましい。
【００９０】
図１１は、本実施形態に係る地点を基準に広告を提供するサービスを示すための例示図である。
【００９１】
図１１に示すＡは、ユーザが地図画面を手動で制御して端末１１０の地図上で広告の提供を受ける場合を示す例示図であって、端末１１０は「ユーザが端末１１０で道案内アプリケーション１１２を実行させて地図画面を表示→ユーザの入力により画面の縮小又は所望の位置へ地図を移動→該当画面で広告提供装置１３０に広告要請信号を伝送→広告提供装置１３０から広告コンテンツに関する情報を受信→広告コンテンツに関する情報に該当する表出広告情報を出力」のような動作を行える。
【００９２】
図１１に示すＢは、ユーザが車両を用いて走行するとき、端末１１０の地図上で広告の提供を受ける場合を示す例示図であって、端末１１０は「ユーザが端末１１０で道案内アプリケーション１１２を実行させて移動経路情報による地図画面を表示→車両の移動による地図の移動→所定の領域に対する画面で広告提供装置１３０に広告要請信号を伝送→広告提供装置１３０から広告コンテンツに関する情報を受信→広告コンテンツに関する情報に該当する表出広告情報を出力」のような動作を行える。
【００９３】
図１２は、本実施形態に係る地域を基準に広告を提供するサービスを示すための例示図である。
【００９４】
図１２に示すＡは、ユーザが車両を用いて走行するとき、端末１１０の地図上で行政区域の変化が発生すれば、広告の提供を受ける場合を示す例示図であって、端末１１０は「ユーザが端末１１０で道案内アプリケーション１１２を実行させて移動経路情報による地図画面を表示→車両の移動による地図の移動→地図上で行政区域の変化が発生→広告提供装置１３０に進入した行政区域に対するコード及び区域名などの情報を含む広告要請信号を伝送→広告提供装置１３０から広告コンテンツに関する情報を受信→広告コンテンツに関する情報に該当する表出広告情報を出力」のような動作を行える。
【００９５】
図１２に示すＢは、ユーザが目的地を検索するとき、端末１１０が目的地付近に対する広告の提供を受ける場合を示す例示図であって、端末１１０は「ユーザが端末１１０で道案内アプリケーション１１２を実行させて目的地の名称及びアドレスなどを入力できる画面を表示→目的地に対する名称及びアドレスなどを入力→経路提供装置１２０から入力に対応する検索結果を受信→検索結果のうち、選択された位置に対するコード及び区域名などの情報を含む広告要請信号を伝送→広告提供装置１３０から広告コンテンツに関する情報を受信→広告コンテンツに関する情報に該当する表出広告情報を出力」のような動作を行える。
【００９６】
図１３は、本実施形態に係る走行中にマルチメディア広告を提供するサービスを示すための例示図である。
【００９７】
図１３に示すように、端末１１０を備えた車両が走行中に経路提供装置１２０から受信した現在交通情報及びＧＰＳを通じて確認された端末１１０の現在位置情報に基づいて停止していると判断されれば、移動経路情報に対応する広告要請信号を広告提供装置１３０に伝送し、広告提供装置１３０から広告コンテンツに関する情報を受信して表出広告をディスプレイする動作を行う。
【００９８】
図１４は、本実施形態に係る走行中にプッシュ広告を提供するサービスを示すための例示図である。
【００９９】
図１４に示すように、ユーザが端末１１０を介してプッシュ広告を許容するように設定した場合、広告提供装置１３０は、既に設定された広告領域に位置したり、広告領域を通過する端末１１０を検索し、検索された端末１１０に広告コンテンツに関する情報を含むプッシュ広告を提供して端末１１０にディスプレイされるようにすることができる。例えば、広告提供装置１３０は、リアルタイムで登録された「３０分間ガソリン代１０％割引」に対する広告を提供するために所定の領域を検索し、「プッシュ広告を許容」を設定したユーザの端末１１０が検索された場合、検索された端末１１０に「３０分間ガソリン代１０％割引」に対する広告コンテンツに関する情報を含むプッシュ広告を提供できる。
【０１００】
以上の説明は、本実施形態の技術思想を例示的に説明したものに過ぎないものであって、本実施形態の属する技術分野における通常の知識を有する者であれば、本実施形態の本質的な特性から逸脱しない範囲で多様な修正及び変形が可能である。従って、本実施形態は、本実施形態の技術思想を限定するためのものではなく、説明するためのものであり、このような実施形態によって本実施形態の技術思想の範囲が限定されるものではない。本実施形態の保護範囲は、下記の請求範囲によって解釈されなければならず、それと同等な範囲内にあるあらゆる技術思想は、本実施形態の権利範囲に含まれるものとして解釈されるべきである。
【符号の説明】
【０１０１】
１００    広告提供システム
１１０    端末
１１２    道案内アプリケーション
１２０    経路提供装置
１３０    広告提供装置
２１０    送受信部
２２０    広告登録処理部
２３０    コードマッチング部
２４０    結合経路生成部
２５０    抽出部
２６０    格納部
３１０    通信部
３２０    位置検出部
３３０    広告制御部
３４０    出力部
【図１】
2014186717.tif 000003
【図２】
2014186717.tif 000004
【図３】
2014186717.tif 000005
【図４】
2014186717.tif 000006
【図５】
2014186717.tif 000007
【図６】
2014186717.tif 000008
【図７】
2014186717.tif 000009
【図８】
2014186717.tif 000010
【図９Ａ】
2014186717.tif 000011
【図９Ｂ】
2014186717.tif 000012
【図１０】
2014186717.tif 000013
【図１１】
2014186717.tif 000014
【図１２】
2014186717.tif 000015
【図１３】
2014186717.tif 000016
【図１４】
2014186717.tif 000017